(57)【特許請求の範囲】
【請求項１】
液晶表示装置の回路基板内のリペア配線において、リペア配線をマイクロストリップ構造として、リペア配線の接地面端部からの面方向距離（Ｈ）、接地面との垂直方向距離（Ｄ）、幅（Ｗ）および厚さ（ｈ）のうちの少なくとも１つを調整することにより、リペア配線の容量と電磁波放射を最適化した液晶表示装置。
【請求項２】
液晶表示装置の回路基板内のリペア配線において、リペア配線をストリップ構造として、リペア配線の接地面端部からの面方向距離（Ｈ）、接地面との垂直方向距離（Ｄ）、幅（Ｗ）および厚さ（ｈ）のうちの少なくとも１つを調整することにより、リペア配線の容量と電磁波放射を最適化した液晶表示装置。
【請求項３】
前記マイクロストリップ構造またはストリップ構造を形成する接地面にスリットなどを設けた請求項１または２記載の液晶表示装置。
【請求項４】
前記スリットの幅、高さおよびスリット間距離のうち少なくとも一つを調整することにより、リペア配線の容量と電磁波放射を最適化した請求項３記載の液晶表示装置。
【発明の詳細な説明】
【０００１】
【発明の属する技術分野】
本発明は液晶表示装置に関し、とくにリペア配線の容量と電磁波放射の最適化に関する。
【０００２】
【従来の技術】
液晶表示装置の回路基板内の配線の断線をレーザ溶接によって修復するときに使用するリペア配線が、回路基板または周辺回路基板に配線される。
【０００３】
【発明が解決しようとする課題】
従来は液晶表示装置の画面サイズが小さく、リペア配線は配線長が短かったため、リペア配線に対するＥＭＩ対策は特になされなかった。しかし、液晶表示装置の大画面化の傾向からリペア配線の配線長が長くなることにより、配線容量の増加とともに電磁波放射が問題となってきた。
【０００４】
リペア配線の配線容量はソースドライバＩＣの出力電圧の時定数を決定するので、配線長が長い場合には、その分だけ単位長さ当りの配線容量を低く抑える必要がある。しかし、配線容量の原因となるリペア配線周りの物質に対して、単にリペア配線の距離を離した場合、電磁波放射が問題となる可能性が高い。そのため、配線容量を抑え、かつ、電磁波放射を低減するリペア配線の配線方法が求められている。
【０００５】
【課題を解決するための手段】
本発明の液晶表示装置は、回路基板内のリペア配線において、リペア配線をマイクロストリップ構造として、リペア配線の接地面端部からの面方向距離Ｈ、接地面との垂直方向距離Ｄ、幅Ｗおよび厚さｈのうちの少なくとも１つを調整することにより、リペア配線の容量と電磁波放射を最適化したものである。
【０００６】
また液晶表示装置は、回路基板内のリペア配線において、リペア配線をストリップ構造として、リペア配線の接地面端部からの面方向距離Ｈ、接地面との垂直方向距離Ｄ、幅Ｗおよび厚さｈのうちの少なくとも１つを調整することにより、リペア配線の容量と電磁波放射を最適化したものである。
【０００７】
また、前記マイクロストリップ構造またはストリップ構造を形成する接地面にスリットなどを設けたものである。
【０００８】
また、前記スリットの幅、高さおよびスリット間距離のうち少なくとも一つを調整することにより、リペア配線の容量と電磁波放射を最適化したものである。
【０００９】
【発明の実施の形態】
実施の形態１
マイクロストリップ構造において、導体（リペア配線）と接地（ＧＮＤ）の位置関係による配線容量と電磁波放射の変化の様子を以下に説明する。図１に示すモデル図のように、接地（ＧＮＤ）１の端部を原点０としてＧＮＤ面と平行にＨ軸をとり、ＧＮＤの内側（パラメータＨ軸マイナス方向）および外側（Ｈ軸プラス方向）に導体（リペア配線）２を移動した場合について、配線容量の変化を図２に示した。リペア配線の幅Ｗを１００μｍ、厚さｈを３０μｍと固定し、ＧＮＤとのあいだの垂直方向距離Ｄ１を１００、２００、３００μｍとした。容量はリペア配線長１ｃｍ当りの容量を示した。図２より、導体がＨのマイナス部（ＧＮＤの内側部）からＨ＝０（ＧＮＤ端）、Ｈのプラス部（ＧＮＤの外側）へ向かうにつれ、容量が小さくなっており、Ｈ＜０では、Ｄが大きいほど容量が小さいことがわかる。
【００１０】
また、導体（リペア配線）２にノイズが誘起された場合を仮定して、図１と同様の断面をもつ図３の基板モデルにおいて、図１のＨ軸方向に導体を移動した場合における電磁波放射の変化を図４に示した。ただし、Ｄ＝１００μｍ、Ｈ＝−１０ｍｍのときの電界強度を基準（０ｄＢ／μＶ）としてその差異を示した。Ｗ＝１００ｕｍ、ｈ＝３０ｕｍと固定し、ＧＮＤとの間の距離はＤ＝１００、２００、３００ｕｍとした。ノイズとしては周波数４０．５ＭＨｚ、振幅３．３Ｖの矩形波とし、測定周波数を１６２ＭＨｚ、測定距離を３ｍとし、モーメント法によって算出した。図４より、Ｈが大きいほど、また、Ｄが大きいほど電界強度が大きいことがわかる。
【００１１】
また、電磁波放射の変化について、入力周波数（４０．５ＭＨｚ）の整数倍において測定したシミュレーション結果を、Ｄ＝１００〜７００μｍに関して各々図５〜１１に示す。曲線１７〜２３は、導体２の位置Ｈが順に−１０、−５、−１、０、１、２、５ｍｍである場合を示している。各周波数においてもＨが大きいほど、また、Ｄが大きいほど電界強度が大きいことがわかる。
【００１２】
ＧＮＤ端部からの距離Ｈと導体とＧＮＤとの距離Ｄに代表されるように、異なる構造のシールド効果を考えない限りにおいて、基本的に配線容量と電磁波放射は相反関係にあり、電磁波放射は配線容量が大きければ小さく、配線容量が小さければ大きくなる。このように設計段階において事前にリペア配線による配線容量および電磁波放射を予測し、最適化を図ることができる。
【００１３】
図２と図４の比較からわかるように、図２においてＨが負の領域において、Ｈの絶対値がＤより大きくなると容量値の増加は飽和し、それ以上増加しない傾向がみられるが、図４においては、Ｈの絶対値がＤより大きくなっても電磁波放射の減少がみられる。したがってＨの絶対値をＤより大きくした方が、容量の増加の少ない割に電磁波放射が少なくなる。またＷについては、Ｗを小さくすると電磁波放射は増加せずに容量値が減少すると考えられるので、Ｗの値は小さい方が容量値と電磁波放射の好ましい両立が得られると考えられる。
【００１４】
すなわち、マイクロストリップ配線構造において、許容容量を吟味しつつ、必要に応じて導体２とＧＮＤとの距離Ｄおよび配線幅Ｗ、ＧＮＤ端部からの距離Ｈなどのパラメータを調整することにより、リペア配線の配線容量を低減し、かつ、電磁波放射を抑制することができる。
【００１５】
実施の形態２
図１２に実施の形態２の基本構造であるストリップ配線構造を示す。本基本構造において、距離Ｄ２、Ｄ３またはＧＮＤ端部からの距離Ｈまたは導体幅Ｗを調整する。これにより、配線容量および電磁波放射を最適化できる。本実施形態では、リペア配線をＧＮＤで挟むストリップ構造とすることによるシールド効果のため、さらに電磁波放射は低減される。
【００１６】
実施の形態３
実施の形態１、２で示したマイクロストリップおよびストリップ構造において、リペア配線に近接するＧＮＤにメッシュＧＮＤにするなどの方法によりスリット５を設け、配線容量および電磁波放射を最適化できる。図１３にスリットの例を示す。
【００１７】
実施の形態４
さらに、スリット間距離またはスリット形状を調整することで、電磁波放射を低減することができる。
【００１８】
【発明の効果】
本発明の液晶表示装置は、回路基板内のリペア配線において、リペア配線をマイクロストリップ構造として、リペア配線の接地面端部からの面方向距離Ｈ、接地面との垂直方向距離Ｄ、幅Ｗおよび厚さｈのうちの少なくとも１つを調整することにより、リペア配線の容量と電磁波放射を最適化したので、リペア配線容量を低減し、電磁波放射を抑制することができる。
【００１９】
また、液晶表示装置は、回路基板内のリペア配線において、リペア配線をストリップ構造として、リペア配線の接地面端部からの面方向距離Ｈ、接地面との垂直方向距離Ｄ、幅Ｗおよび厚さｈのうちの少なくとも１つを調整することにより、リペア配線の容量と電磁波放射を最適化したので、リペア配線容量を低減し、電磁波放射を抑制することができる。
【００２０】
また、前記マイクロストリップ構造またはストリップ構造を形成する接地面にスリットなどを設けたので、リペア配線容量をさらに低減し、電磁波放射をさらに抑制することができる。
【００２１】
また、前記スリットの幅、高さおよびスリット間距離のうち少なくとも一つを調整することにより、リペア配線の容量と電磁波放射を最適化したので、リペア配線容量をさらに低減し、電磁波放射をさらに抑制することができる。
【図面の簡単な説明】
【図１】本発明の液晶表示装置のリペア配線のモデル図である。
【図２】本発明の液晶表示装置のリペア配線の容量を示す図である。
【図３】本発明の液晶表示装置のリペア配線の他のモデル図である。
【図４】本発明の液晶表示装置のリペア配線の電磁波放射（電界強度）を示す図である。
【図５】本発明の液晶表示装置のリペア配線の電磁波放射を示す図である。
【図６】本発明の液晶表示装置のリペア配線の電磁波放射を示す図である。
【図７】本発明の液晶表示装置のリペア配線の電磁波放射を示す図である。
【図８】本発明の液晶表示装置のリペア配線の電磁波放射を示す図である。
【図９】本発明の液晶表示装置のリペア配線の電磁波放射を示す図である。
【図１０】本発明の液晶表示装置のリペア配線の電磁波放射を示す図である。
【図１１】本発明の液晶表示装置のリペア配線の電磁波放射を示す図である。
【図１２】本発明の液晶表示装置のリペア配線のさらに他のモデル図である。
【図１３】本発明の液晶表示装置のリペア配線のメッシュ接地を示す図である。
【符号の説明】
１  接地(ＧＮＤ)
２  導体
３  第２の接地
４  絶縁体
５  スリット
【図１】
0003703360.tif 000002
【図２】
0003703360.tif 000003
【図３】
0003703360.tif 000004
【図４】
0003703360.tif 000005
【図５】
0003703360.tif 000006
【図６】
0003703360.tif 000007
【図７】
0003703360.tif 000008
【図８】
0003703360.tif 000009
【図９】
0003703360.tif 000010
【図１０】
0003703360.tif 000011
【図１１】
0003703360.tif 000012
【図１２】
0003703360.tif 000013
【図１３】
0003703360.tif 000014